(57)【要約】【課題】  被清掃領域を拭き清掃するための清掃体を備える清掃用具において、清掃効果向上を図るのに有効な技術を提供する。【解決手段】  本発明に係る清掃用具１００では、清掃体ホルダ１２０は、当該清掃体ホルダ１２０の長尺方向まわりに二つの保持板１３２，１３２がその保持体間に形成されたヒンジ部１３１ａ，１３１ａを中心として互いに近接する方向へ並行状態のまま回転可能とされ、これにより清掃体１１０の被挿入領域１１５，１１５に挿入された二つの保持板１３２，１３２のこの回転動作を通じて、清掃体ホルダ１２０の長尺方向と交差する方向に関する清掃体１１０の断面形状が可変とされる。【選択図】      図１
2008212431.tif 000002
【特許請求の範囲】
【請求項１】
被清掃領域の拭き清掃に用いられる清掃用具であって、
長尺状の清掃体ホルダと、
前記清掃体ホルダに装着される清掃体と、
を備え、
前記清掃体ホルダは、使用者によって把持される把持部と、前記把持部から並行して長手状に延在する二つの保持体を有し、これら二つの保持体が前記清掃体に設けられた被挿入領域に挿入されることによって前記清掃体を保持する構成であり、
更に、前記清掃体ホルダは、当該清掃体ホルダの長尺方向まわりに前記二つの保持体がその保持体間に形成された回転軸を中心として互いに近接する方向へ並行状態のまま回転可能とされ、これにより前記被挿入領域に挿入された前記二つの保持体のこの回転動作を通じて、前記長尺方向と交差する方向に関する前記清掃体の断面形状が可変とされる構成であることを特徴とする清掃用具。
【請求項２】
請求項１に記載の清掃用具であって、
前記二つの保持体は、同一平面上にて平行に延在する板状部材として構成され、各板状部材は、前記被挿入領域に対する挿入状態において前記清掃体を支持する支持面を有するとともに、前記回転軸を中心として各板状部材の前記支持面同士が互いに向かい合うように回転可能とされた構成であることを特徴とする清掃用具。
【請求項３】
請求項１または２に記載の清掃用具であって、
前記清掃体は、所定方向に延在する繊維を複数集合させた繊維集合体と、シート状の不織布からなる基材シート及び保持シートを備え、積層された前記基材シート及び保持シートを互いに接合することによって前記被挿入領域が形成され、更に前記基材シートを挟んで前記保持シートと反対側に前記繊維集合体が積層された構成であり、
前記清掃体ホルダは、前記清掃体における前記保持シートを清掃体内方として、前記被挿入領域に挿入された前記二つの保持体が互いに近接する方向へ回転され、これにより前記清掃体が繊維集合体側を清掃体外表面として前記保持体のまわりを取り囲む構成であることを特徴とする清掃用具。
【発明の詳細な説明】
【技術分野】
【０００１】
本発明は、清掃用具に係り、詳しくは室内や車内などの被清掃領域を拭き清掃するための清掃体を備える清掃用具の構築技術に関するものである。
【背景技術】
【０００２】
従来、清掃対象の拭き清掃を行うシート状の清掃体を備える清掃用具が種々提案されている。例えば、下記特許文献１には、清掃布と、この清掃布に設けられた収容領域に挿設されたこの清掃布を着脱自在に保持する柄を備える構成の清掃用具が開示されている。この清掃用具は、柄を介して保持された清掃布を用いることによって被清掃領域の拭き清掃を行う可能性を有するが、清掃体を備えるこの種の清掃用具の設計に際しては、清掃効果を高める技術に対する要請がある。
【特許文献１】特開平９−１５４７９１号公報
【発明の開示】
【発明が解決しようとする課題】
【０００３】
そこで、本発明は、かかる点に鑑みてなされたものであり、被清掃領域を拭き清掃するための清掃体を備える清掃用具において、清掃効果向上を図るのに有効な技術を提供することを課題とする。
【課題を解決するための手段】
【０００４】
上記課題を達成するため、各請求項記載の発明が構成される。これら各請求項に記載の発明は、一戸建て、マンション、ビル、工場、車両等の屋内や屋外における被清掃領域（床面、壁面、天井面、外壁面、家具面、衣類、カーテン、寝具、家電品など）や、人体の各構成部位における被清掃領域等を清掃するための清掃用具の構成に適用され得る。これら各種の被清掃領域は、平面として構成されてもよいし、或いは曲面、凹凸面、段差面として構成されてもよい。
【０００５】
本発明に係る清掃用具は、被清掃領域の拭き清掃に用いられるものであって、清掃体ホルダ及び清掃体を少なくとも備える構成とされる。清掃体ホルダは、長尺状の部材として構成される。清掃体は、長尺状の清掃体ホルダに装着される部材として構成される。
清掃体ホルダは、使用者によって把持される把持部と、把持部から並行して長手状に延在する二つの保持体を有し、これら二つの保持体が清掃体に設けられた被挿入領域に挿入されることによって清掃体を保持する構成とされる。被挿入領域は、単一の被挿入部分が長尺状に配設されることによって構成されてもよいし、或いは複数の被挿入部分が断続的に配設されることによって構成されてもよい。
【０００６】
この清掃体ホルダは、更に当該清掃体ホルダの長尺方向まわりに二つの保持体がその保持体間に形成された回転軸を中心として互いに近接する方向へ並行状態のまま回転可能とされ、これにより被挿入領域に挿入された二つの保持体のこの回転動作を通じて、長尺方向と交差する方向に関する清掃体の断面形状が可変とされる。この場合の並行状態は、二つの保持体が並行して配設される状態が形成されれば足り、二つの保持体が概ね同方向に延在する状態、回転動作前及び回転動作後の少なくとも一方において平行して延在する状態などが広く包含される。また、二つの保持体の回転軸は、それぞれの保持体に独立して設けられた構成であってよいし、或いは二つの保持体に共通した単一の回転軸として構成されてもよい。また、二つの保持体が互いに近接する方向へ回転される構成に関しては、把持部に対し二つの保持体の両方が可動する構成であってもよいし、或いは把持部に対し二つの保持体のいずれか一方が可動する構成であってもよい。
【０００７】
本発明に係る清掃用具のこのような構成によれば、必要に応じて被挿入領域に挿入された二つの保持体を回転軸を中心として互いに近接する方向へ回転させ、被清掃領域の形状などに応じて清掃体の断面形状を変更して、清掃体を適正な形態で使用することが可能となる。これにより、清掃体ホルダまわりの清掃体全面にわたって清掃面が形成され、また清掃体にボリューム感が付与されるため、清掃体全面で埃を捕捉することができ清掃効果が高まる。また、清掃体全面にわたって清掃面が形成されることで、使用者は清掃面の位置を特に気にすることなく拭き清掃作業を行うことが可能となり作業性が向上する。
【０００８】
本発明に係る更なる形態の清掃用具では、前記の二つの保持体は、同一平面上にて平行に延在する板状部材として構成され、各板状部材は、被挿入領域に対する挿入状態において清掃体を支持する支持面を有するとともに、回転軸を中心として各板状部材の支持面同士が互いに向かい合うように回転可能とされる。このような構成によれば、必要に応じて被挿入領域に挿入された二つの板状部材を、回転軸を中心として支持面同士が互いに向かい合うように回転させ、被清掃領域の形状などに応じて清掃体の断面形状を変更して、清掃体を適正な形態で使用することが可能となる。
【０００９】
本発明に係る更なる形態の清掃用具では、前記の清掃体は、所定方向に延在する繊維を複数集合させた繊維集合体と、シート状の不織布からなる基材シート及び保持シートを備え、積層された前記基材シート及び保持シートを互いに接合することによって被挿入領域が形成され、更に基材シートを挟んで保持シートと反対側に前記繊維集合体が積層された構成であるのが好ましい。また前記の清掃体ホルダは、清掃体における保持シートを清掃体内方として、被挿入領域に挿入された二つの保持体が互いに近接する方向へ回転され、これにより清掃体が繊維集合体側を清掃体外表面として保持体のまわりを取り囲む構成であるのが好ましい。
【００１０】
本発明に係る清掃用具のこのような構成によれば、清掃体ホルダまわりの清掃体全面にわたって繊維集合体による清掃面が形成されることとなり、清掃体全面に配設された繊維集合体によって埃を捕捉することが可能となる。
【００１１】
なお、本発明に係る清掃体は、一回使用を目安とした使い捨てタイプのものや、被清掃領域から除去したごみや埃を刷毛部において保持しつつ複数回の使用を目安として交換を行う使い捨てタイプのものであってもよいし、或いは洗濯などを行ったうえで繰り返し使用することが可能なタイプのものであってもよい。
【発明の効果】
【００１２】
以上のように、本発明によれば、以上のように、本発明によれば、被清掃領域を拭き清掃するための清掃体を備える清掃用具において、特に清掃体の被挿入領域に挿入された清掃体ホルダの二つの保持体の回転動作を通じて、清掃体ホルダの長尺方向と交差する方向に関する清掃体の断面形状が可変とされる構成を採用することによって、清掃体を適正な形態で使用することができ、以って清掃体による清掃効果を高めることが可能となった。
【発明を実施するための最良の形態】
【００１３】
以下、本発明の実施の形態を図面を参照しつつ詳細に説明する。まず、図１〜図３を用いて、本発明における「清掃用具」の一実施の形態である清掃用具１００の構成を説明する。この清掃用具１００を用いて拭き清掃される清掃対象としては、一戸建て、マンション、ビル、工場、車両等の室内、室外、屋外における被清掃領域（床面、壁面、窓、天井面、外壁面、家具面、衣類、カーテン、寝具、照明、家電品等）や、人体の各構成部位における被清掃領域等が挙げられる。これら各種の被清掃領域は、平面として構成されてもよいし、或いは曲面、凹凸面、段差面として構成されてもよい。
【００１４】
本実施の形態の清掃用具１００を構成する清掃体１１０及び清掃体ホルダ１２０を互いに組み付ける前の状態の斜視図が図１に示される。図１に示すように、この清掃用具１００は、清掃体１１０と清掃体ホルダ１２０に大別される。
【００１５】
清掃体１１０は、拭き清掃において清掃対象である被清掃領域の汚れを掻き取る汚れ掻き取り機能を有する清掃体とされる。この清掃体１１０は、販売時或いは未使用時にはシート状として構成され、使用時には解されて嵩高として構成される。詳細については後述するが、この清掃体１１０は、図１に示すように平面視が長方形とされたシート体であって、所定の長手方向（長辺の延在方向）に長尺状に延在する構成であるとともに、互いに積層された清掃体本体１１１及び保持シート１１２が、平行に（並行して）延在する溶着接合部１１３及び溶着接合部１１４，１１４にて溶着接合された構成とされる。これら溶着接合部１１３及び溶着接合部１１４，１１４によって区画される左右一対の空間は、清掃体ホルダ１２０の保持体分（後述するホルダ本体１３０の保持板１３２，１３２）が挿入される被挿入領域１１５，１１５として構成される。各被挿入領域１１５は、ホルダ本体１３０の各保持板１３２が挿入可能な大きさ（挿入幅及び挿入深さ）を有する形状とされている。ここでいう清掃体１１０が、本発明における「清掃体」に相当する。なお、必要に応じては、この清掃体１１０を、平面視が正方形等の他の形状の清掃体として構成することもできる。また、ここでいう被挿入領域１１５，１１５が、本発明における「被挿入領域」に相当する。この被挿入領域１１５，１１５は、単一の被挿入部分が長尺状に配設されることによって構成されてもよいし、或いは複数の被挿入部分が断続的に配設されることによって構成されてもよい。
【００１６】
清掃体ホルダ１２０は、上記構成の清掃体１１０に対し着脱自在とされており、互いに連接するホルダ本体１３０及びハンドル部１４０からなる長尺状の部材として構成される。この清掃体ホルダ１２０が、本発明における「清掃体ホルダ」に相当する。ハンドル部１４０は、長尺状に延在するハンドル本体１４１と、このハンドル本体１４１とホルダ本体１３０との間に介在する連結部１４１ａを備える。ハンドル本体１４１は、使用者によって把持される部位とされる。連結部１４１ａは、ハンドル本体１４１とホルダ本体１３０を固定状に連結する部位を構成している。ここでいうハンドル部１４０ないしハンドル本体１４１が、本発明における「把持部」を構成する。
【００１７】
ホルダ本体１３０は、清掃体１１０を着脱自在に保持する機能を有する部位である。このホルダ本体１３０には、ハンドル部１４０側の基部１３１に左右一対の保持板１３２，１３２、及び押え板１３４が設けられている。左右一対の保持板１３２，１３２は、基部１３１から前方に向けて所定の間隔を空けて同一平面上にて平行に（並行して）延在する長手状の板状部材として構成される。すなわち、ホルダ本体１３０は、その先端側が二股状に分かれたフォーク形状となっている。各保持板１３２の横幅は、長手方向に関し一定或いは先端に向けて狭幅状に設定される。ここでいう保持板１３２，１３２が、本発明における「二つの保持体」及び「板状部材」を構成する。二本の保持板１３２，１３２の断面形状に関しては、断面が円形ないし多角形の棒形状とすることもできる。
【００１８】
また、各保持板１３２には、その外側縁部の前後二箇所に突部１３３，１３３が設けられている。各突部１３３は、その外形が保持板１３２の外側に向けて突出した楕円形状とされており、その突出面が凸曲線形状とされている。また、各突部１３３は、その中央部分が開口状とされた中空部１３３ａを有する構成とされる。押え板１３４は、左右一対の保持板１３２，１３２に間において前方へと延在するとともに、下側に向けて凸形状となるように湾曲して形成される板状部材として構成され、更にその下面に係止突部（図示省略）を備える。
【００１９】
各保持板１３２は、清掃体１１０に形成された対応する被挿入領域１１５への挿入が可能とされており、この挿入状態において清掃体１１０を保持する機能を有する。この挿入状態においては、各保持板１３２が清掃体１１０側の被挿入領域１１５に密着状に摺接して嵌まり込み、清掃体１１０に対し止着作用を付与する。更に、この挿入状態においては、押え板１３４が清掃体１１０を上方から押えつけるとともに、その下面に設けられた係止突部（図示省略）が清掃体１１０の抜け止めとして作用する。これにより、各保持板１３２を清掃体１１０側の被挿入領域１１５に挿入した挿入状態では、清掃体１１０がホルダ本体１３０によって確実に保持されることとなる。
【００２０】
また、本実施の形態では、各保持板１３２は、基部１３１側にヒンジ部１３１ａを有し、このヒンジ部１３１ａを介して図１中の矢印方向、すなわち互いに近接する方向及び離間する方向の回転動作が可能とされる。ヒンジ部１３１ａ，１３１ａは、保持板１３２，１３２間に設けられた回転軸であり、これらヒンジ部１３１ａ，１３１ａが、本発明における「回転軸」に相当する。各保持板１３２のこの回転動作に関しては、図２が参照される。この図２には、図１中の清掃体ホルダ１２０を保持板開成状態に設定した場合と保持板折り畳み状態に設定した場合が斜視図にて示される。図２に示すように、清掃体ホルダ１２０は、保持板１３２，１３２が開成された保持板開成状態と、保持板１３２，１３２がヒンジ部１３１ａ，１３１ａを介して互いに近接する方向へ折り畳まれた保持板折り畳み状態とに切り替え可能である。
【００２１】
清掃体ホルダ１２０を保持板開成状態から保持板折り畳み状態へと切り替える場合には、使用者が各保持板１３２をヒンジ部１３１ａを介して内方へと折り畳む。この場合、各保持板１３２の上面は、被挿入領域１１５に対する挿入状態において清掃体１１０を下方から支持する支持面（本発明における「支持面」に相当する）として構成され、当該支持面同士が互いに向かい合うように回転される。この保持板折り畳み状態では、保持板１３２，１３２の回転位置をロックする回動レバー１５０が用いられる。この回動レバー１５０は、連結部１４１ａのまわりを取り囲むように配設された環状の部材として構成される。この回動レバー１５０は、連結部１４１ａに設けられた所定の回動支点（図示省略）を中心として前方及び後方への回転動作（図１中の矢印方向に関する回転動作）が可能とされるとともに、前方回転位置及び後方回転位置の各々において、適宜の係止機構によって係止される構成とされる。従って、各保持板１３２が折り畳まれた状態でこの回動レバー１５０を前方回転位置まで回転させることによって、回動レバー１５０は、保持板１３２，１３２の後端側を取り囲む前方回転位置に設定される。これにより、折り畳み状態の保持板１３２，１３２は、回動レバー１５０の内面によって外方から加締状に押圧されてその回転位置がロックされることとなる。
【００２２】
一方、清掃体ホルダ１２０を保持板折り畳み状態から保持板開成状態へと切り替える場合には、まず使用者が回動レバー１５０を前方回転位置から後方回転位置へと操作して保持板１３２，１３２の回転位置のロックを解除する。その後、使用者が折り畳み状態の各保持板１３２をヒンジ部１３１ａを介して外方へと開成させる。
【００２３】
なお、清掃体ホルダ１２０の構造に関しては、ホルダ本体１３０及びハンドル部１４０（ハンドル本体１４１及び連結部１４１ａ）の各々を別体構造として組み付け自在とする構成や、ホルダ本体１３０及びハンドル部１４０を一体成型とする構成、またホルダ本体１３０、ハンドル本体１４１及び連結部１４１ａのいずれか二つを一体成型とする構成などを適宜採用することができる。
【００２４】
上記清掃体１１０の具体的な構成に関しては図３が参照される。図３には、清掃体１１０の積層部１１０ａを各構成要素に分離した状態の斜視図が示される。
【００２５】
図３に示すように、本実施の形態の清掃体１１０は、清掃対象側（「下面側」或いは「裏面側」ともいう）から順に清掃体本体１１１、保持シート１１２が積層された構成であり、更に清掃体本体１１１は、清掃対象側（下面側）から順に清掃対象側シート１１１ｃ、繊維集合体１１１ｂ、基材シート１１１ａが積層された構成とされる。この場合、保持シート１１２及び基材シート１１１ａは、繊維集合体１１１ｂを挟んで清掃対象側シート１１１ｃ（下面側シート）と反対側に積層された上面側シートとされる。
【００２６】
清掃体本体１１１を構成する基材シート１１１ａ、繊維集合体１１１ｂ、清掃対象側シート１１１ｃは、いずれも平面視が同様の長方形のシート状とされ、清掃体１１０の長手方向に長尺状に延在する構成とされる。繊維集合体１１１ｂ及び清掃対象側シート１１１ｃは、汚れ掻き取り機能を有する刷毛状部位を構成しており、いわゆる「刷毛部」とも称呼される。この清掃体１１０は、一回使用を目安とした使い捨てタイプのものや、清掃対象の被清掃領域から除去したごみや埃を刷毛部において保持しつつ複数回の使用を目安として交換を行う使い捨てタイプのものであってもよいし、或いは洗濯などを行ったうえで繰り返し使用することが可能なタイプのものであってもよい。また、本実施の形態では、清掃体１１０の清掃体本体１１１を、基材シート１１１ａ、繊維集合体１１１ｂ及び清掃対象側シート１１１ｃが積層状に重ねられた構造としたが、この清掃体本体１１１を更なる繊維層やシートが付加された構造とすることもできる。
【００２７】
保持シート１１２、基材シート１１１ａ及び清掃対象側シート１１１ｃは、いずれも、清掃体１１０の長手方向と交差する方向に延在するジクザグ状の短冊片（短冊部分）を複数備える。具体的には、保持シート１１２に関しては、清掃体１１０の長手方向と交差する方向に複数の短冊片１１２ａが並列状に延在する構成とされる。また、基材シート１１１ａに関しては、清掃体１１０の長手方向と交差する方向に複数の短冊片１１１ｄが並列状に延在する構成とされ、清掃対象側シート１１１ｃに関しては、清掃体１１０の長手方向と交差する方向に複数の短冊片１１１ｅが並列状に延在する構成とされる。各シートの短冊片をジクザグ状とすることによって、ごみを引っ掛けて捕捉し易い清掃機能の高い構造が実現される。なお、短冊片の形状に関しては、ジクザグ状、直線状、曲線状などのうちの単一種類或いは複数種類の形状を適宜用いることができる。
【００２８】
次に、上記基材シート１１１ａ、清掃対象側シート１１１ｃ及び保持シート１１２を形成する不織布の構成、及び繊維集合体１１１ｂを形成する繊維集合体の構成につき詳細に説明する。
【００２９】
（不織布の構成）
基材シート１１１ａ、清掃対象側シート１１１ｃ及び保持シート１１２に関しては、いずれも典型的には熱溶融性繊維（熱可塑性繊維）からなるシート状の不織布を使用することができる。すなわち、これら基材シート１１１ａ、清掃対象側シート１１１ｃ及び保持シート１１２は、不織布シートとも称呼される。ここでいう基材シート１１１ａ及び保持シート１１２が、本発明における「シート状の不織布」を構成している。この不織布は、機械的、化学的、熱的などの処理によって繊維を固着したり絡み合わせたりして作られるシート状の構成物であって、熱可塑性繊維を一部に含み融着（溶着）が可能な不織布とされ、複数の短冊片を有する形状の不織布として構成される。熱可塑性繊維（熱溶融繊維）としては、ポリエチレン、ポリプロピレン、ポリエチレンテレフタレート等を使用することができる。この不織布としては、エアースルー法、スパンボンド法、サーマルボンド法、スパンレース法、ポイントボンド法、メルトブロー法、ステッチボンド法、ケミカルボンド法、ニードルパンチ法等により製造されたものを適宜使用することができる。この不織布が、本発明における「不織布」に相当する。なお、清掃時の掃き出し機能を向上させるためには、剛性の高い不織布を用いるのが好ましい。また、不織布に代えて或いは加えて、ウレタン、スポンジ、織布、ネット、ワリフなどの素材を短冊状に加工したものを用いることもできる。
【００３０】
（繊維集合体の構成）
一方、繊維集合体１１１ｂは、繊維による単一の繊維構造体や、繊維が長さ方向および／または径方向にそろった繊維構造体（撚糸、紡績糸、複数の長繊維が部分的に接続された糸材など）、ないし当該繊維構造体の集合体とされ、熱可塑性繊維を一部に含み融着（「溶着」ともいう）が可能な繊維集合体として構成される。この繊維集合体１１１ｂを形成する繊維とは、糸、織物などの構成単位であり、太さに比して十分な長さを持つ、細くてたわみやすい形態のものとして規定され、典型的には長い連続状の繊維が長繊維（フィラメント）とされ、短い繊維が短繊維（ステープル）とされる。この繊維集合体１１１ｂの繊維は、基端側が溶着接合部１１３及び溶着接合部１１４，１１４にて接合されるとともに、当該溶着接合部を固定端とし当該固定端と対向する側（先端側）を自由端として、清掃体１１０（或いは繊維集合体１１１ｂ）の長手方向と交差する方向に長尺状に延在する構成とされる。清掃体１１０の長手方向と交差する方向に延在するこの繊維集合体１１１ｂが、本発明において「所定方向に延在する繊維を複数集合させた繊維集合体」に相当する。この繊維集合体１１１ｂは、複数の繊維が束状に形成された「繊維束」とも称呼される。
【００３１】
なお、図３中に示す例では、三つの繊維層が積層状に重ねられることによって繊維集合体１１１ｂが形成される場合について記載しているが、この繊維層の数は必要に応じて１または複数とすることができる。この繊維集合体１１１ｂは、所定の平面や曲面による面構造を有するとともに、ある程度の厚みを有する立体形状として、或いは薄肉シート形状として構成されるのが好ましい。ここでいう「繊維集合体」は、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体がこの繊維集合体として多用される。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維集合体が構成されるのが好ましい。また、この繊維集合体を形成する長繊維の繊度は、１〜５０ｄｔｅｘのものが好ましく、更には２〜１０ｄｔｅｘのものが好ましい。また、各繊維集合体は概ね同様の繊度の繊維から構成されてもよいし、或いは各繊維集合体が異なる繊度の繊維を含む構成であってもよい。
【００３２】
また、清掃時の掃き出し機能を向上させるためには、剛性の高い繊維、すなわち繊度が高い繊維を含む繊維集合体を用いるのが好ましい。また、繊維集合体は、捲縮繊維を有する構成されるのが好ましい。ここでいう捲縮繊維は、所定の巻き縮み処理が付与された繊維として構成され、繊維同士が絡み易い構造とされる。このような捲縮繊維を用いると、繊維集合体が清掃体ホルダ装着前の状態よりも嵩高となり、更に捲縮部分にごみを取り込み易い構造とされる。本構造は、特にトウ繊維から形成された捲縮繊維を用いることによって実現され得る。
【００３３】
なお、繊維集合体として、フィルムをテープ状にスリットし、縦方向へ延伸させたフラットヤーンや、スプリットヤーンと称呼される熱可塑性フィルム樹脂を樹脂の配向方向と直交する方向にかきわけて、繊維状となったフィルムが網目状に接合されているものを使用してもよい。或いは、繊維集合体として、エアースルー不織布などの嵩高で繊維密度の低い不織布を使用してもよい。
【００３４】
また、清掃体１１０の構成要素の種類や数等に関しては、上記の例に限定されるものではなく、必要に応じて種々選択が可能である。
【００３５】
上記構成の清掃用具１００の作用に関しては、図２及び図４が参照される。この図４には、本実施の形態の保持板１３２，１３２が保持板開成状態及び保持板折り畳み状態である場合の清掃体１１０様子が模式的に示される。
【００３６】
清掃用具１００を用いた被清掃領域の拭き清掃に際し、清掃体１１０及び清掃体ホルダ１２０を互いに組み付ける場合には、清掃体ホルダ１２０を図２中の保持板開成状態に設定したのち、ホルダ本体１３０の保持板１３２，１３２を清掃体１１０側の被挿入領域１１５に挿入する。これにより、清掃体１１０及び清掃体ホルダ１２０が互いに組み付けられる。このとき、清掃効果を高めるべく、清掃体１１０を必要に応じて毛羽立たせ、ボリューム感を高めるのが好ましい。清掃体ホルダ１２０の保持板開成状態においては、清掃体１１０は図４に示すような第１の清掃形態に設定される。この第１の清掃形態では、拭き清掃に供される清掃体１１０の清掃面を清掃体下面によって構成する。
【００３７】
更に、各被挿入領域１１５に挿入された各保持板１３２及び回動レバー１５０の回転操作によって清掃体ホルダ１２０が保持板開成状態から保持板折り畳み状態へと切り替えられる。このとき、被挿入領域１１５，１１５に挿入された保持板１３２，１３２は、保持シート１１２を清掃体内方として、ホルダ本体１３０長尺方向まわりに保持板１３２，１３２間のヒンジ部１３１ａ，１３１ａを中心として互いに近接する方向へ並行状態のまま回転可能とされ、この回転動作を通じて、ホルダ本体１３０長尺方向と交差する方向に関する清掃体１１０の断面形状が可変とされる。なお、この場合の並行状態は、二つの保持板１３２，１３２が並行して配設される状態が形成されれば足り、二つの保持板１３２，１３２が概ね同方向に延在する状態、回転動作前及び回転動作後の少なくとも一方において平行して延在する状態などが広く包含される。また、二つの保持板１３２，１３２の回転軸は、ヒンジ部１３１ａ，１３１ａのようにそれぞれの保持板１３２に独立して設けられた構成であってよいし、或いは二つの保持板１３２，１３２に共通した単一の回転軸として構成されてもよい。
【００３８】
清掃体ホルダ１２０の保持板折り畳み状態においては、清掃体１１０は図４に示すような第２の清掃形態に設定される。この第２の清掃形態では、清掃体１１０が繊維集合体１１１ｂ側を清掃体外表面として保持板１３２，１３２のまわりを取り囲むこととなる。このように清掃体１１０が保持板１３２，１３２のまわりに全体的に配設されることとなるため、拭き清掃に供される清掃体１１０の清掃面を概ね外表面全体によって構成する。これにより、シート状の清掃体１１０にボリューム感を付与することができるとともに、清掃用具全面で埃を捕捉することができるとともに、使用者は清掃面の位置を特に気にすることなく拭き清掃作業を行うことができ、清掃効果の向上を図ることが可能となる。
【００３９】
（他の実施の形態）
なお、本発明は上記の実施の形態のみに限定されるものではなく、種々の応用や変形が考えられる。例えば、上記実施の形態を応用した次の各形態を実施することもできる。
【００４０】
本発明では、清掃体ホルダ１２０の保持板１３２，１３２を少なくとも図４に示すような保持板開成状態及び保持板折り畳み状態に設定することが可能であればよく、上記実施の形態の清掃体ホルダ１２０以外の構造の清掃体ホルダを適宜採用することができる。以下、本発明の「清掃体ホルダ」に係る別実施の形態の清掃体ホルダの構成を図５及び図６を参照しつつ説明する。なお、これら図５及び図６において、図２に示す構成要素と同一の構成要素には同一の符号を付しており、当該同一の構成要素についての説明は省略する。
【００４１】
図５には、別実施の形態の清掃体ホルダ２２０を保持板開成状態に設定した場合と保持板折り畳み状態に設定した場合が斜視図にて示される。この清掃体ホルダ２２０は、回動レバー１５０にかえてスライドボタン２５０を用いる以外は清掃体ホルダ１２０と実質的に同様の構成とされる。スライドボタン２５０は、連結部１４１ａのまわりを取り囲むように配設された筒状の部材として構成される。このスライドボタン２５０は、前方及び後方へのスライド動作（図５中の矢印方向に関する回転動作）が可能とされるとともに、前方スライド位置及び後方スライド位置の各々において、適宜の係止機構によって係止される構成とされる。
【００４２】
このような構成において、各保持板１３２が折り畳まれた状態でこのスライドボタン２５０を前方スライド位置まで保持板１３２の延在方向にスライドさせることによって、スライドボタン２５０は、保持板１３２，１３２の後端側を取り囲む前方スライド位置に設定される。これにより、折り畳み状態の保持板１３２，１３２は、スライドボタン２５０の内面によって外方から加締状に押圧されてそのスライド位置がロックされることとなる。一方、清掃体ホルダ１２０を保持板折り畳み状態から保持板開成状態へと切り替える場合には、まず使用者がスライドボタン２５０を前方スライド位置から後方スライド位置へと操作して保持板１３２，１３２の回転位置のロックを解除する。その後、使用者が折り畳み状態の各保持板１３２をヒンジ部１３１ａを介して外方へと開成させる。このような構成の清掃体ホルダ２２０によっても、清掃体ホルダ１２０を用いる場合と同様に、保持板開成状態及び保持板折り畳み状態を切り替えることによって、清掃体１１０を図４に示すような第１の清掃形態及び第２の清掃形態に設定することが可能となり、清掃効果の向上を図ることが可能となる。
【００４３】
図６には、別実施の形態の清掃体ホルダ３２０を保持板開成状態に設定した場合と保持板折り畳み状態に設定した場合が斜視図にて示される。この清掃体ホルダ３２０は、回動レバー１５０やスライドボタン２５０にかえてギア機構３５０を用いる以外は清掃体ホルダ１２０や清掃体ホルダ２２０と実質的に同様の構成とされる。ギア機構３５０は、外周面にギア歯を有する左右一対の回転ギア３５１，３５２を有し、これらの回転ギア３５１，３５２が互いに係合した状態で回転可能に配設される。また、回転ギア３５１は、一方の保持板１３２側に形成されたギア溝（図示省略）に係合し、また回転ギア３５２は、他方の保持板１３２側に形成されたギア溝（図示省略）に係合する構成とされる。
【００４４】
このような構成において、一方の保持板１３２側の突片１３２ａ、或いは他方の保持板１３２側の突片１３２ｂを内方へ回転させると、保持板１３２，１３２は、突片１３２ａ，１３２ｂにおける回転ギア３５１，３５２との係合を維持しつつ、ヒンジ部１３１ａを介して互いに近接する方向へ折り畳まれた保持板折り畳み状態に設定される。また、折り畳み状態の保持板１３２，１３２は、回転ギア３５１，３５２のギア噛み抵抗や、突片１３２ａ，１３２ｂ同士の適宜の係止機構などによって、その回転位置がロックされることとなる。一方、保持板折り畳み状態の清掃体ホルダ３２０において、使用者が突片１３２ａ或いは突片１３２ｂを外方へ回転させると、保持板１３２，１３２は、突片１３２ａ，１３２ｂにおける回転ギア３５１，３５２との係合を維持しつつ、ヒンジ部１３１ａを介して互いに離間する方向へ開成され、保持板開成状態に設定される。このような構成の清掃体ホルダ３２０によっても、清掃体ホルダ１２０や清掃体ホルダ２２０を用いる場合と同様に、保持板開成状態及び保持板折り畳み状態を切り替えることによって、清掃体１１０を図４に示すような第１の清掃形態及び第２の清掃形態に設定することが可能となり、清掃効果の向上を図ることが可能となる。
【００４５】
また、上記実施の形態では、清掃体１１０をシート状の不織布と繊維集合体を用いて構成する場合について記載したが、本発明では、シート状の不織布のみによって清掃体が構成されてもよい。
【００４６】
また、上記実施の形態では、把持部であるハンドル本体１４１に対し二つの保持板１３２，１３２の両方が可動する構成について記載したが、本発明では、ハンドル本体１４１に対し二つの保持板１３２，１３２のいずれか一方が可動する構成を採用することもできる。
【図面の簡単な説明】
【００４７】
【図１】本実施の形態の清掃用具１００を構成する清掃体１１０及び清掃体ホルダ１２０を互いに組み付ける前の状態の斜視図である。
【図２】図１中の清掃体ホルダ１２０を保持板開成状態に設定した場合と保持板折り畳み状態に設定した場合を示す斜視図である。
【図３】図１中の清掃体１１０を各構成要素に分離した状態の斜視図である。
【図４】本実施の形態の保持板１３２，１３２が保持板開成状態及び保持板折り畳み状態である場合の清掃体１１０様子を模式的に示す図である。
【図５】別実施の形態の清掃体ホルダ２２０を保持板開成状態に設定した場合と保持板折り畳み状態に設定した場合を示す斜視図である。
【図６】別実施の形態の清掃体ホルダ３２０を保持板開成状態に設定した場合と保持板折り畳み状態に設定した場合を示す斜視図である。
【符号の説明】
【００４８】
１００…清掃用具
１１０…清掃体
１１０ａ…積層部
１１１…清掃体本体
１１１ａ…基材シート
１１１ｂ…繊維集合体
１１１ｃ…清掃対象側シート
１１１ｄ，１１１ｅ…短冊片
１１２…保持シート
１１２ａ…短冊片
１１３，１１４…溶着接合部
１１５…被挿入領域
１２０，２２０，３２０…清掃体ホルダ
１３０…ホルダ本体
１３１…基部
１３１ａ…ヒンジ部
１３２…保持板
１３２ａ，１３２ｂ…突片
１３３…突部
１３３ａ…中空部
１３４…押え板
１４０…ハンドル部
１４１…ハンドル本体
１４１ａ…連結部
１５０…回動レバー
２５０…スライドボタン
３５０…ギア機構
３５１…回転ギア
【図１】
2008212431.tif 000003
【図２】
2008212431.tif 000004
【図３】
2008212431.tif 000005
【図４】
2008212431.tif 000006
【図５】
2008212431.tif 000007
【図６】
2008212431.tif 000008